(57)【要約】      （修正有）【課題】頭にも首にも巻きつけることができ、巻きつけた部分全体を冷やすことができる保水バンドを提供する。【解決手段】本体バンド１は二重の帯状の布であり、保水部は吸水性繊維の布であり、保水部は本体バンド１の全長に渡り挟まれ、縫い合わされており、本体バンド１の両端に剣状帯３を、さらにその一端に通し帯４を設けて保水バンドＡを構成する。保水バンドＡを水に浸し軽く絞った後に頭もしくは首に着用すれば、気化熱の効果により巻きつけた部分全体を冷やすことができる。剣状帯３を通し帯４に通すことにより、頭や首周りに巻くことができる。剣状帯３は先端が細くなっているので、通し帯４に通しやすく着用が容易であり、本体バンド１自体も通し帯４を通ることが可能であるので、保水バンドＡの長さの変更が容易となる。【選択図】図１
0003148542.tif 000002
【実用新案登録請求の範囲】
【請求項１】
本体バンドと保水部からなる保水バンドであって、
前記本体バンドは二重の帯状の布であり、
前記保水部は吸水性繊維で織られた帯状の布であり、
前記保水部は前記本体バンドの二重の布の間に全長に渡り挟まれ、縫い合わされており、
前記本体バンドの両端に係留部材が設けられている
ことを特徴とする保水バンド。
【請求項２】
前記本体バンドの一端の係留部材が剣状帯であり、
他端の係留部材が前記剣状帯を通す通し帯である
ことを特徴とする請求項１記載の保水バンド。
【請求項３】
前記本体バンドが速乾性繊維で織られた布からなる
ことを特徴とする請求項１記載の保水バンド。
【考案の詳細な説明】
【技術分野】
【０００１】
本考案は、保水バンドに関する。さらに詳しくは、頭にも首にも巻きつけることができ、巻きつけた部分全体を冷やすことができる保水バンドに関する。
【背景技術】
【０００２】
従来、夏場の熱中対策などのために、保冷剤などを装着することにより冷却機能を有した衣類が用いられている。
その一例として特許文献１の汗取りバンドがある。図４に示すように、特許文献１の汗取りバンド１０１は、吸水性に富み、かつ、乾燥性の良い繊維の布帛からなるバンド本体１０２の、皮膚に直接接触する部分が二重に形成され、この二重部分１０４がポケット状に形成されている。吸水性に富み、乾燥性の良い繊維の布帛からなる中袋１０３に、詰め綿１０８が均一に充填され、この中袋１０３が、二重部分１０４の開口部１０５から、出し入れできるように形成されている。
上記の中袋１０３を水で適度に湿らせ、この中袋１０３を入れた汗取りバンド１０１を冷蔵庫の中で冷却した後、この汗取りバンド１０１を鉢巻として、あるいはネックバンドとして使用すると、夏場でも涼しく快適に過ごすことができる。
【０００３】
しかるに、中袋１０３は汗取りバンド１０１の中央付近にしか挿入されないので、鉢巻として使用した場合には額のみ、ネックバンドとして使用した場合には首の後ろのみしか冷やすことができないという問題がある。
【０００４】
【特許文献１】登録実用新案第３０４１８６８号
【考案の開示】
【考案が解決しようとする課題】
【０００５】
本考案は上記事情に鑑み、頭にも首にも巻きつけることができ、巻きつけた部分全体を冷やすことができる保水バンドを提供することを目的とする。
【課題を解決するための手段】
【０００６】
第１考案の保水バンドは、本体バンドと保水部からなる保水バンドであって、前記本体バンドは二重の帯状の布であり、前記保水部は吸水性繊維で織られた帯状の布であり、前記保水部は前記本体バンドの二重の布の間に全長に渡り挟まれ、縫い合わされており、前記本体バンドの両端に係留部材が設けられていることを特徴とする。
第２考案の保水バンドは、第１考案において、前記本体バンドの一端の係留部材が剣状帯であり、他端の係留部材が前記剣状帯を通す通し帯であることを特徴とする。
第３考案の保水バンドは、第１考案において、前記本体バンドが速乾性繊維で織られた布からなることを特徴とする。
【考案の効果】
【０００７】
第１考案によれば、吸水性繊維で織られた布が本体バンドの全長に渡って縫いこまれているので、保水バンドを水に浸し軽く絞った後に頭もしくは首に着用すれば、気化熱の効果により巻きつけた部分全体を冷やすことができる。
第２考案によれば、剣状帯を通し帯に通すことにより、保水バンド全体として環状となるので頭や首周りに巻くことができる。また、剣状帯はその先端が細くなっているので、通し帯に通しやすく、着用が容易である。さらに、本体バンド自体も通し帯を通ることが可能であるので保水バンドの長さの変更が容易であり、保水バンドの長さを着用者の頭や首の太さにあわせて調節することが可能である。
第３考案によれば、保水バンドを水に浸したとしても、本体バンドはすぐに乾くので、頭や首周りがべたつく恐れがない。
【考案を実施するための最良の形態】
【０００８】
つぎに、本考案の実施形態を図面に基づき説明する。
図１は本考案の一実施形態に係る保水バンドＡの平面図である。図２は図１の保水バンドＡの一部破断平面図である。図３は同保水バンドＡの着用時の外観図である。
【０００９】
図１および図２に示すように、保水バンドＡは主に本体バンド１と保水部２からなる。本体バンド１は二重の帯状の布であり、２枚の帯布を重ねてその縁を縫い合わせることにより形成されている。もちろん、一枚の帯布を折り返して同様の形状になるように縫い合わせてもよい。本体バンド１の幅寸法および長さ寸法は頭もしくは首に巻くのにちょうど良い寸法であり、例えば幅寸法が７cm程度、長さ寸法が５５cm程度である。
一方、保水部２も帯状の布であり、本体バンド１の二重の布の間に全幅、全長に渡って挟まれており、その中央付近が本体バンド１と一体となるように縫い合わされている。
【００１０】
本体バンド１の両端には、ネクタイの先端の形状に似た剣状帯３が縫いつけられている。剣状帯３の根元は本体バンド１の幅寸法と同じになっている。後述のとおり、一方の剣状帯３は保水バンドＡを環状に係留するために必要な部材であるが、他方の剣状帯３は意匠効果を生み出す飾りとして設けられている。後述の通し帯４が設けられた方の剣状帯３が飾りであり、他方が係留部材である。
また、本体バンド１の一端には、前記剣状帯３を通す通し帯４が設けられている。通し帯４は長方形の布片であり、その両短辺が本体バンド１に縫い付けられており、本体バンド１と通し帯４とで通し孔５を形成している。通し帯４は、通し孔５が本体バンド１の幅方向に向くように設けられている。通し孔５に本体バンド１が通り、かつ、通した剣状帯３もしくは本体バンド１と通し孔５との摩擦で保水バンドＡを係留するために、通し孔５の幅寸法は本体バンド１の幅寸法と同程度となっている。
【００１１】
なお、保水部２は吸水性繊維で織られた布からなり、本体バンド１、剣状帯３および通し帯４は速乾性繊維で織られた布からなる。吸収性繊維の布としては、例えば「ベルオアシス」（登録商標）が挙げられ、速乾性繊維の布としては、例えば「クールマックス」（登録商標）が挙げられる。
【００１２】
つぎに、保水バンドＡの使用方法を図３に基づき説明する。
保水バンドＡを頭に巻くには、まず、保水バンドＡを水に浸し、軽くしぼる。つぎに、保水バンドＡを頭に鉢巻状に巻きつける。この際、保水バンドＡの中央付近が額に当たるようにする。最後に、剣状帯３を通し孔５に通して頭に固定する。
また、保水バンドＡを首に巻く場合も同様に、まず、保水バンドＡを水に浸し、軽くしぼる。つぎに、保水バンドＡを頭から通し、首に巻きつける。最後に、剣状帯３を通し孔５に通して巻き具合を調節する。
なお、保水バンドＡを２本用いれば、頭と首の両方に巻きつけることが可能である。
【００１３】
保水バンドＡには保水部２が縫いこまれており、この保水部２は吸水性繊維で織られた布であるので、水に浸すと水を吸収することができる。保水部２に水を含んだ状態で頭や首に巻きつければ、気化熱の効果により頭や首筋を冷やすことができる。そのため、屋外での熱中対策のために用いてもよいし、屋内で使用すれば、エアコンをつけずに、もしくは設定温度を上げた状態でも快適に過ごすことができる。
【００１４】
上述のとおり、剣状帯３を通し孔５に通して着用するが、剣状帯３の先端は細くなっているので、通し孔５に通しやすく、着用が容易である。また、剣状帯３を通し孔５に通し、さらに剣状帯３を引っ張ると、本体バンド１も通し孔５を通るため保水バンドＡの長さの変更が容易であり、保水バンドＡの長さを着用者の頭や首の太さにあわせて調節することが可能である。
【００１５】
図３に示すように、保水バンドＡ着用時には剣状帯３が左右に交差して、ネクタイやリボンと類似の形状となる。これは、保水バンドＡの一端には係留部材としての機能を有する剣状帯３を設け、他端には保水バンドＡが左右対称になるように、飾りの剣状帯３を設けたためである。このような形状とすることで、保水バンドＡ着用時の意匠効果が得られる。
【００１６】
なお、保水バンドＡは水を含ませて使用するが、本体バンド１、剣状帯３および通し帯４は速乾性繊維の布でありすぐに乾くので、頭や首周りがべたつく恐れがない。
【図面の簡単な説明】
【００１７】
【図１】本考案の一実施形態に係る保水バンドＡの平面図である。
【図２】図１の保水バンドＡの一部破断平面図である。
【図３】同保水バンドＡの着用時の外観図である。
【図４】従来技術の汗取りバンドの外観図である。
【符号の説明】
【００１８】
Ａ  保水バンド
１  本体バンド
２  保水部
３  剣状帯
４  通し帯
５  通し孔
【図１】
0003148542.tif 000003
【図２】
0003148542.tif 000004
【図３】
0003148542.tif 000005
【図４】
0003148542.tif 000006